(57)【要約】【課題】効率の低下を抑制することができる減速機構付きモータを提供する。【解決手段】減速機構２２を収容するギヤハウジングの内部には、ウォーム部３３の軸方向の端面と軸方向に対向し、ウォーム部３３の対向する端面にて間接的に押圧されるとウォーム部３３との間に発生する摩擦力によりウォーム部３３の回転を阻止する当接壁２７，２８が設けられている。また、ウォーム部３３は、当接壁２７，２８に対して接離可能に配置されるとともに、回転軸１２が挿通される挿通孔３３ｂを有する。挿通孔３３ｂの内部には、回転軸１２の回転をウォーム部３３に伝達するとともに、ウォーム部３３の回転時にウォームホイール３８からウォーム部３３に加えられる軸方向の反力と反対方向の力をウォーム部３３に付与する伝達溝３３ｃ及び伝達ボール１４が設けられている。【選択図】図５
2008228364.tif 000002
【特許請求の範囲】
【請求項１】
回転可能に支持された回転軸を有するモータ本体と、
ケース内に収容され、外周に螺子歯が形成され前記回転軸と一体的に回転するウォーム部、及び前記ウォーム部と噛合し前記ウォーム部とともに前記回転軸の回転を減速するウォームホイールを有する減速機構と
を備えた減速機構付きモータであって、
前記ケースの内部には、前記ウォーム部の軸方向の両端面のうち一方の端面と軸方向に対向し、前記ウォーム部の対向する端面にて直接又は間接的に押圧されると前記ウォーム部との間に発生する摩擦力により前記ウォーム部の回転を阻止する当接部材が設けられ、
前記ウォーム部は、前記当接部材に対して接離可能に配置されるとともに前記回転軸が挿通される挿通孔を有し、前記挿通孔の内部には、前記回転軸の回転を前記ウォーム部に伝達するとともに、前記ウォーム部の回転時に前記ウォームホイールから前記ウォーム部に加えられる軸方向の反力と反対方向の力を前記ウォーム部に付与する伝達手段が設けられたことを特徴とする減速機構付きモータ。
【請求項２】
請求項１に記載の減速機構付きモータにおいて、
前記伝達手段は、前記挿通孔の内周面に前記螺子歯の捩れ方向と反対方向に捩れるように形成された伝達溝と、前記伝達溝と前記回転軸との間に配置され、前記回転軸の回転を前記ウォーム部に伝達するとともに前記ウォーム部の回転時に前記ウォームホイールから前記ウォーム部に加えられる軸方向の反力と反対方向の力を前記ウォーム部に付与する伝達部材とを備えることを特徴とする減速機構付きモータ。
【請求項３】
請求項２に記載の減速機構付きモータにおいて、
前記伝達部材は、前記回転軸の外周面に係合されるとともに前記伝達溝の内周面に当接される球体状の伝達ボールであることを特徴とする減速機構付きモータ。
【請求項４】
請求項３に記載の減速機構付きモータにおいて、
前記伝達ボールは、複数備えられることを特徴とする減速機構付きモータ。
【請求項５】
請求項４に記載の減速機構付きモータにおいて、
前記伝達溝は、前記ウォーム部の周方向に等角度間隔となる位置に複数設けられ、
複数の前記伝達ボールは、前記回転軸に対し周方向に等角度間隔となる位置に係合されることを特徴とする減速機構付きモータ。
【請求項６】
請求項３乃至請求項５の何れか１項に記載の減速機構付きモータにおいて、
前記伝達ボールは、前記ウォーム部の軸方向の中央部に配置されることを特徴とする減速機構付きモータ。
【請求項７】
請求項１乃至請求項６の何れか１項に記載の減速機構付きモータにおいて、
前記ウォーム部の両端部を軸支する軸受を有することを特徴とする減速機構付きモータ。
【請求項８】
請求項１乃至請求項７の何れか１項に記載の減速機構付きモータにおいて、
前記当接部材は、前記ウォーム部の軸方向の両側の２箇所に設けられることを特徴とする減速機構付きモータ。
【発明の詳細な説明】
【技術分野】
【０００１】
本発明は、モータ本体の回転力を減速する減速機構を備えた減速機構付きモータに関するものである。
【背景技術】
【０００２】
従来、車両に搭載されるパワーウインドウ装置には、回転力を発生するモータ本体と、該モータ本体の回転力を減速して出力する減速機構とを備えた減速機構付きモータが使用されている。このような減速機構付きモータには、モータ本体の停止時におけるウインドウガラスの下降を防止すべく、ウインドウガラスの下降を許容する方向の作動を阻止するための機構が備えられている。
【０００３】
例えば、特許文献１に記載された減速機構付きモータの減速機構は、モータ本体の回転軸の先端側に刻設されたウォームと、該ウォームに噛合された円板状のウォームホイールとから構成されている。そして、回転軸の先端には、スラストプラグが固定されるとともに、減速機構を収容部するギヤハウジングにおいてスラストプラグと軸方向に対向する位置には、クッション材を介してスチールプレートが固定されている。そして、モータ本体の停止時に、ウインドウガラス側から負荷が加えられて所定の方向へウォームホイールが回転しようとすると、該ウォームホイールからウォームを有する回転軸に対して、スチールプレート側に向かう軸方向の力が加えられる。その結果、スラストプラグがスチールプレートに押し付けられ、スラストプラグとスチールプレートとの接触による摩擦力により回転軸の回転が防止され、減速機構の作動が阻止される。一方、モータ本体が駆動されると、回転軸は、スラストプラグとスチールプレートとを摺動させながら回転する。そして、回転軸の回転に伴って、ウォーム部と噛合するウォームホイールが回転され、ウインドウガラスの昇降が行われる。
【特許文献１】実開平４−６４９６５号公報
【発明の開示】
【発明が解決しようとする課題】
【０００４】
しかしながら、特許文献１に記載の減速機構付きモータでは、モータ本体の駆動時に、回転軸と一体回転するスラストプラグと、ギヤハウジングに固定されたスチールプレートとが互いに摺動するため、当該減速機構付きモータの効率が低下されてしまう。また、回転軸の回転方向によっては、ウォームホイールを回転させる際にウォームホイールからウォームに加えられる反力（噛み合い反力）が回転軸をスチールプレート側に押し付ける方向の力となることがある。この場合には、減速機構付きモータの効率がより低下されてしまう。
【０００５】
そこで、回転軸を、モータ側の部位（モータ側回転軸とする）とウォームが形成された減速機構側の部位（ウォーム軸とする）とに分割し、これらモータ側回転軸とウォーム軸とを、モータ本体側からの回転を許容するとともに減速機構側からの回転を阻止するクラッチを介して連結することが考えられる。しかしながら、モータ側回転軸とウォーム軸とを同軸状（互いの中心軸線が一致した状態）とするために、各部品を高精度に形成する必要が出てくる。その結果、製造コストが増大するという問題がある。
【０００６】
本発明は、こうした実情に鑑みてなされたものであって、その目的は、効率の低下を抑制することができる減速機構付きモータを提供することにある。
【課題を解決するための手段】
【０００７】
上記課題を解決するため、請求項１に記載の発明は、回転可能に支持された回転軸を有するモータ本体と、ケース内に収容され、外周に螺子歯が形成され前記回転軸と一体的に回転するウォーム部、及び前記ウォーム部と噛合し前記ウォーム部とともに前記回転軸の回転を減速するウォームホイールを有する減速機構とを備えた減速機構付きモータであって、前記ケースの内部には、前記ウォーム部の軸方向の両端面のうち一方の端面と軸方向に対向し、前記ウォーム部の対向する端面にて直接又は間接的に押圧されると前記ウォーム部との間に発生する摩擦力により前記ウォーム部の回転を阻止する当接壁が設けられ、前記ウォーム部は、前記当接壁に対して接離可能に配置されるとともに前記回転軸が挿通される挿通孔を有し、前記挿通孔の内部には、前記回転軸の回転を前記ウォーム部に伝達するとともに、前記ウォーム部の回転時に前記ウォームホイールから前記ウォーム部に加えられる軸方向の反力と反対方向の力を前記ウォーム部に付与する伝達手段が設けられたことをその要旨としている。
【０００８】
同構成によれば、モータ本体の駆動時、即ち回転軸の回転時において、伝達手段は、ウォーム部の回転によりウォームホイールが回転される時にウォームホイールからウォーム部に加えられる軸方向の反力と反対方向の力をウォーム部に付与する。従って、回転軸の回転に伴ってウォーム部が回転する時には、ウォームホイールからウォーム部に加えられる軸方向の反力は、伝達手段からウォーム部に付与される軸方向の力によって弱められる。そのため、ウォームホイールから加えられる軸方向の反力によってウォーム部が当接部材に押し付けられることが抑制される。その結果、モータ本体の駆動時には、ウォーム部の軸方向の端面が当接部材に当接されない、若しくは当接部材とウォーム部の端面とが摺動する際の摩擦力が小さくなるため、ウォーム部と当接部材との間の摺動ロスが低減される。よって、減速機構付きモータの効率の低下を抑制することができる。
【０００９】
請求項２に記載の発明は、請求項１に記載の減速機構付きモータにおいて、前記伝達手段は、前記挿通孔の内周面に前記螺子歯の捩れ方向と反対方向に捩れるように形成された伝達溝と、前記伝達溝と前記回転軸との間に配置され、前記回転軸の回転を前記ウォーム部に伝達するとともに前記ウォーム部の回転時に前記ウォームホイールから前記ウォーム部に加えられる軸方向の反力と反対方向の力を前記ウォーム部に付与する伝達部材とを備えることをその要旨としている。
【００１０】
同構成によれば、挿通孔の内周面にウォーム部の螺子歯の捩れ方向と反対方向に捩れるように形成された簡易な構成の伝達溝と、該伝達溝と回転軸との間に配置された伝達部材とによって、回転軸の回転をウォーム部に伝達するとともにウォーム部の回転時にウォームホイールからウォーム部に加えられる軸方向の反力と反対方向の力をウォーム部に付与することができる。
【００１１】
請求項３に記載の発明は、請求項２に記載の減速機構付きモータにおいて、前記伝達部材は、前記回転軸の外周面に係合されるとともに前記伝達溝の内周面に当接される球体状の伝達ボールであることをその要旨としている。
【００１２】
同構成によれば、伝達部材は、球体状の伝達ボールであるため、その形状が簡易であるとともに、組付け時にその組付け方向が制限されない。また、回転軸に対するウォーム部の軸方向の移動が妨げられ難い。
【００１３】
請求項４に記載の発明は、請求項３に記載の減速機構付きモータにおいて、前記伝達ボールは、複数備えられることをその要旨としている。
同構成によれば、伝達ボールが複数備えられることにより、これらの伝達ボールを介して、回転軸の回転をより安定してウォーム部に伝達することができる。
【００１４】
請求項５に記載の発明は、請求項４に記載の減速機構付きモータにおいて、前記伝達溝は、前記ウォーム部の周方向に等角度間隔となる位置に複数設けられ、複数の前記伝達ボールは、前記回転軸に対し周方向に等角度間隔となる位置に係合されることをその要旨としている。
【００１５】
同構成によれば、複数の伝達ボールは、回転軸に対し周方向に等角度間隔となる位置に係合されているため、回転軸の回転力は、ウォーム部に対して周方向に均等に伝達される。従って、更に安定して回転軸の回転をウォーム部に伝達することができる。
【００１６】
請求項６に記載の発明は、請求項３乃至請求項５の何れか１項に記載の減速機構付きモータにおいて、前記伝達ボールは、前記ウォーム部の軸方向の中央部に配置されることをその要旨としている。
【００１７】
同構成によれば、ウォーム部の径方向のバランスを良好に保つことができる。
請求項７に記載の発明は、請求項１乃至請求項６の何れか１項に記載の減速機構付きモータにおいて、前記ウォーム部の両端部を軸支する軸受を有することをその要旨としている。
【００１８】
同構成によれば、ウォーム部が両端部は軸受によって軸支されるため、ウォーム部の径方向のぐらつきが抑制される。
請求項８に記載の発明は、請求項１乃至請求項７の何れか１項請求項８に記載の減速機構付きモータにおいて、前記当接部材回転防止部材は、前記ウォーム部の軸方向の両側の２箇所に設けられることをその要旨としている。
【００１９】
同構成によれば、モータ本体の停止時において、ウォームホイールが何れの方向に回転しようとした場合であってもウォーム部の回転が阻止される。
【発明の効果】
【００２０】
本発明によれば、効率の低下を抑制可能な減速機構付きモータを提供することができる。
【発明を実施するための最良の形態】
【００２１】
以下、本発明を、車両に搭載されるパワーウインドウ装置の駆動源として用いられるパワーウインドウ装置用モータに具体化した一実施形態を図面に従って説明する。
図１に示すように、減速機構付きモータとしてのモータ１は、モータ本体２と減速部３とから構成されている。モータ本体２を構成するヨークハウジング４は、有低筒状をなすとともに、該ヨークハウジング４の底部の中央部には、軸受収容凹部４ａが形成されている。軸受収容凹部４ａの底部中央には、スチールボール５が配置されるとともに、該軸受収容凹部４ａの内周面にはメタル軸受６が固定されている。また、ヨークハウジング４の内周面には、一対の永久磁石７が固定されるとともに、同ヨークハウジング４の開口部内には、一対の給電用ブラシ８を保持するブラシホルダ９が設けられている。
【００２２】
また、前記一対の永久磁石７の内側には、電機子１１が回転可能に配置されている。電機子１１の回転軸１２は、その基端部側の端面が前記スチールボール５に当接するとともに、同基端部が前記メタル軸受６によって軸支されている。また、回転軸１２の先端部は、ブラシホルダ９の中央部を貫通しヨークハウジング４の開口部から突出して減速部３内に配置されている。そして、回転軸１２の軸方向の略中央部には、電機子１１を構成する円筒状の整流子１３が固定されるとともに、該整流子１３の外周面には、前記一対の給電用ブラシ８の先端がそれぞれ押圧接触されている。
【００２３】
図２に示すように、回転軸１２の先端側の所定位置には、２つの係合凹部１２ａが形成されている。この係合凹部１２ａは、周方向に等角度間隔となる位置に球状に凹設されており、回転軸１２の軸線を含む平面に対して面対称となっている。そして、これら係合凹部１２ａ内には、伝達ボール１４がそれぞれ係合されている。球体状の各伝達ボール１４は、鋼鉄製であるとともに、その外周面の曲率半径は、係合凹部１２ａの内周面の曲率半径と等しい値に設定されている。
【００２４】
図１に示すように、前記減速部３は、前記ヨークハウジング４の開口部側の端部に螺子１５にて固定されるギヤハウジング２１と、該ギヤハウジング２１内に収容される減速機構２２とを備えている。ギヤハウジング２１を構成するウォーム収容部２３は、回転軸１２の軸方向に沿って延びる略筒状をなすとともに、その内部に前記回転軸１２の先端側の部位を収容している。また、ウォーム収容部２３におけるヨークハウジング４側の端部の内周面には、回転軸１２の軸方向の略中央部を軸支する円筒状のメタル軸受２４が固定されている。更に、ウォーム収容部２３における回転軸１２の先端側の端部には、回転軸１２の先端部を回転可能に軸支する円筒状のメタル軸受２５が設けられるとともに、回転軸１２の先端面に当接するスチールボール２６が配置されている。尚、メタル軸受２４，２５は何れも金属製である。
【００２５】
また、ウォーム収容部２３の内部には、回転軸１２の軸方向と直交する方向（図１において紙面垂直方向）に沿って一対の当接壁２７，２８が立設されている。一方の当接壁２７は、前記メタル軸受２４と回転軸１２の軸方向に対向する位置に形成されるとともに、他方の当接壁２８は、メタル軸受２５と回転軸１２の軸方向に対向する位置に形成されている。そして、当接壁２７，２８は回転軸１２の軸方向に互いに所定間隔を有する位置に形成されるとともに、各当接壁２７，２８には、その先端から基端に向かって凹設された挿通凹部２７ａ，２８ａがそれぞれ形成されている。挿通凹部２７ａ，２８ａは、略Ｕ字状に凹設されるとともに、回転軸１２が挿通されている。そして、これら当接壁２７，２８間には、一対のスラストプレート３１，３２及び円筒状のウォーム部３３が回転軸１２に貫通された状態で配置されている。スラストプレート３１，３２は、何れも合成樹脂製であるとともに、円環状をなしている。また、鉄製のウォーム部３３は、スラストプレート３１，３２間に配置されている。尚、ウォーム部３３は、鋼鉄製若しくは合成樹脂製であってもよい。
【００２６】
ウォーム部３３の両端部は、ウォーム収容部２３の内周面に固定された一対の円筒状の軸受３４，３５によって軸支されるとともに、これら軸受３４，３５は、ウォーム収容部２３の軸方向の移動を許容する。図２に示すように、ウォーム部３３の外周の軸方向の中央部には、螺子歯３３ａが螺旋状に形成されている。また、図３に示すように、ウォーム部３３の径方向の中心部には、軸方向に貫通した挿通孔３３ｂが形成されるとともに、該挿通孔３３ｂの軸方向と直交する方向の断面形状は円形状をなしている。更に、図４に示すように、ウォーム部３３の内周面（即ち挿通孔３３ｂの内周面）には、２つの伝達溝３３ｃが形成されている。本実施形態では、伝達溝３３ｃは、ウォーム部３３の軸方向の一端から他端まで形成されるとともに、ウォーム部３３を径方向に沿って切った断面形状が台形状をなしている。また、伝達溝３３ｃは、ウォーム部３３の中心軸線Ｌ１に対して傾斜するように挿通孔３３ｂの内周面に螺旋状に形成されるとともに、その捩れ方向が螺子歯３３ａの捩れ方向と反対方向となっている。即ち、螺子歯３３ａと伝達溝３３ｃとは互いに反対方向に捩れた螺旋状をなしている。そして、ウォーム部３３の径方向内側から見ると、螺子歯３３ａは、ウォーム部３３の中心軸線Ｌ１に対して右上がりとなるように傾斜しているのに対し、各伝達溝３３ｃは、ウォーム部３３の中心軸線Ｌ１に対して左上がりとなるように形成されている。更に、２つの伝達溝３３ｃは、ウォーム部３３の内周面において周方向に等角度間隔（本実施形態では１８０°間隔）となる位置に形成されている。尚、図４においては、螺子歯３３ａの歯形の中心軸線を二点鎖線にて図示している。
【００２７】
図２に示すように、前記回転軸がウォーム部３３内に挿通される際には、回転軸１２は、各前記係合凹部１２ａ内に伝達ボール１４を係合した状態で、各伝達ボール１４が各伝達溝３３ｃ内にそれぞれ収容されるように、ウォーム部３３の端部から該ウォーム部３３の挿通孔３３ｂに挿通される。そして、図１及び図３に示すように、回転軸１２がメタル軸受６，２４，２５にて軸支された状態では、各伝達ボール１４は、ウォーム部３３の軸方向の中央部に配置される。また、同状態では、ウォーム部３３は、当接壁２７，２８間で軸方向に移動可能であるとともに、ウォーム部３３の軸方向の両端面は、それぞれが軸方向に対向するスラストプレート３１，３２を介して間接的に当接壁２７，２８に突き当たることが可能となっている。即ち、ウォーム部３３は、当接壁２７，２８に対して軸方向に離間可能であるとともに間接的に当接可能となっている。そして、ウォーム部３３の軸方向の端面が、軸方向に対向する当接壁２７，２８に対して間接的に押圧されると、ウォーム部３３の軸方向の端面と当接するスラストプレート３１，３２との間に発生する摩擦力、及び互いに当接するスラストプレート３１，３２と当接壁２７，２８との間に発生する摩擦力により、ウォーム部３３の周方向の回転が阻止されるようになっている。
【００２８】
図１に示すように、ギヤハウジング２１を構成するホイール収容部３７は、略円盤状をなすとともに、その内部空間は、前記ウォーム収容部２３の内部空間と同ウォーム収容部２３の長手方向の略中央部で繋がっている。そして、ホイール収容部３７内に収容された円板状のウォームホイール３８は、ホイール収容部３７の内部空間とウォーム収容部２３の内部空間とが繋がる部位で、前記ウォーム部３３の螺子歯３３ａと噛合している。尚、本実施形態では、前記減速機構２２は、このウォームホイール３８と、ウォーム部３３とから構成されている。
【００２９】
上記のように構成されたモータ１は、車両のドア内に配置されるとともに、ウォームホイール３８の径方向の中央部に該ウォームホイール３８と一体回転可能に設けられた出力軸（図示略）がレギュレータ（図示略）等を介して車両のウインドウガラスに駆動連結される。そして、図示しない外部の電源装置（車両のバッテリ等）から給電用ブラシ８を介して電機子１１に電流が供給されると（即ちモータ本体２が駆動されると）、電機子１１が回転する。電機子１１が回転すると、電機子１１を構成する回転軸１２の回転は、図５（ａ）に示すように、各伝達ボール１４を介してウォーム部３３に伝達され、回転軸１２とともにウォーム部３３が回転する。ウォーム部３３が回転すると、それに伴ってウォームホイール３８が回転し、ウォームホイール３８と一体回転する出力軸（図示略）を介してレギュレータ（図示略）にモータ本体２の駆動力が伝達され、回転軸１２の回転方向に応じてウインドウガラスの昇降が行われる（図１参照）。
【００３０】
ここで、モータ本体２の駆動時にウォーム部３３にてウォームホイール３８が矢印α１方向に回転される場合において、各伝達ボール１４からウォーム部３３の内壁（伝達溝３３ｃの内周面）に加えられる力をＦとし、この力Ｆを、ウォーム部３３を回転させる方向の分力Ｆａと、ウォーム部３３の軸方向に沿う方向の分力Ｆｂとに分ける。この時、伝達溝３３ｃは、その捩れ方向が螺子歯３３ａの捩れ方向と反対方向となるように形成されているため、分力Ｆｂは、ウォーム部３３の回転によりウォームホイール３８が矢印α１方向に回転される場合にウォームホイール３８からウォーム部３３に対して加えられる軸方向の反力Ｆｏと反対方向の力となる。その結果、分力Ｆｂと反力Ｆｏとは互いに打ち消し合うことになる。本実施形態では、分力Ｆｂと反力Ｆｏとがほぼ同じ大きさとなるように、ウォーム部３３の中心軸線Ｌ１に対する伝達溝３３ｃの傾斜の度合い、及び螺子歯３３ａのねじれ角（中心軸線Ｌ１と直交する直線に対する螺子歯３３ａの歯形の中心線とによって作られる角）が設定されている。従って、分力Ｆｂによって反力Ｆｏが相殺される。このように、ウォームホイール３８からウォーム部３３に加えられる軸方向に沿った反力Ｆｏは、分力Ｆｂにて相殺されるため、ウォーム部３３がスラストプレート３１，３２の何れか一方の押し付けられることが抑制される。尚、ウォーム部３３の中心軸線Ｌ１に対する伝達溝３３ｃの傾斜の度合いや螺子歯３３ａのねじれ角は、実験や計算等により適切な値が求められて設定される。
【００３１】
一方、モータ本体２が停止されている場合において、出力軸にウォームホイール３８を回転させるような負荷が加えられると、ウォームホイール３８が回転しようとすることにより該ウォームホイール３８からウォーム部３３に対して軸方向（ウォーム部３３の軸方向）の力が加えられる。これにより、ウォーム部３３が軸方向に移動されてスラストプレート３１，３２の何れか一方に押し付けられる。ウォーム部３３の軸方向の端面が、軸方向に対向する当接壁２７，２８に対して間接的に押圧されると、ウォーム部３３の軸方向の端面と当接するスラストプレート３１，３２との間に発生する摩擦力、及び互いに当接するスラストプレート３１，３２と当接壁２７，２８との間に発生する摩擦力により、ウォーム部３３の周方向の回転が阻止される。例えば、図５（ｂ）に示すように、ウォームホイール３８が反時計方向（矢印α２方向）に回転しようとした場合、ウォームホイール３８からウォーム部３３に対して軸方向に沿って右側に向かう力（矢印Ｆｃ方向の力）が加えられ、この力によってウォーム部３３は、スラストプレート３２及び当接壁２８側に移動される。そして、ウォーム部３３の軸方向の一端面（図５（ｂ）において右側の端面）がスラストプレート３２を介して当接壁２８に間接的に押圧され、ウォーム部３３の軸方向の一端面とスラストプレート３２との間、及びスラストプレート３２と当接壁２８との間に発生する摩擦力により、ウォーム部３３の周方向の回転が阻止される。これにより、モータ本体２の停止時にウインドウガラスが昇降されることが防止される。
【００３２】
上記したように、本実施形態によれば、以下の効果を有する。
（１）モータ本体２の駆動時、即ち回転軸１２の回転時には、伝達溝３３ｃ及び伝達ボール１４の作用により、ウォーム部３３の回転によりウォームホイール３８が回転される時にウォームホイール３８からウォーム部３３に加えられる軸方向の反力Ｆｏと反対方向の力（分力）Ｆｂがウォーム部３３に付与される。従って、回転軸１２の回転に伴ってウォーム部３３が回転する時には、ウォームホイール３８からウォーム部３３に加えられる軸方向の反力Ｆｏは、伝達ボール１４及び伝達溝３３ｃを介してウォーム部３３に付与される軸方向の力Ｆｂによって相殺される。そのため、ウォームホイール３８から加えられる軸方向の反力Ｆｏによってウォーム部３３が当接壁２７，２８に押し付けられることが抑制される。その結果、モータ本体２の駆動時には、ウォーム部３３の軸方向の端面が当接壁２７，２８に当接されない、若しくは当接壁２７，２８とウォーム部３３の端面とが間接的に摺動する際の摩擦力が小さくなるため、ウォーム部３３と当接壁２７，２８との間の摺動ロスが低減される。よって、モータ１の効率の低下を抑制することができる。
【００３３】
（２）挿通孔３３ｂの内周面にウォーム部３３の螺子歯３３ａの捩れ方向と反対方向に捩れるように形成された伝達溝３３ｃと、該伝達溝３３ｃと回転軸１２との間に配置された球体状の伝達ボール１４との簡易な構成によって、回転軸１２の回転をウォーム部３３に伝達するとともにウォーム部３３の回転時にウォームホイール３８からウォーム部３３に加えられる軸方向の反力Ｆｏと反対方向の力Ｆｂをウォーム部３３に付与することができる。その結果、モータ１の構成の複雑化が抑制される。
【００３４】
（３）伝達ボール１４は球体状をなすため、その形状が簡易であるとともに、組付け時にその組付け方向が制限されない。また、回転軸１２に対するウォーム部３３の軸方向の移動が妨げられ難いため、ウォーム部３３は、モータ本体２の停止時にウォームホイール３８が回転しようとした場合に、当接壁２７，２８に対して円滑に押し付けられる。
【００３５】
（４）伝達ボール１４はウォーム部３３の内部に２つ備えられるため、伝達ボール１４が１つのみ備えられる場合よりも回転軸１２の回転がより安定してウォーム部３３に伝達される。
【００３６】
（５）２つの伝達ボール１４は、回転軸１２に対して周方向に等角度間隔となる位置に係合されているため、回転軸１２の回転力は、ウォーム部３３に対して周方向に均等に伝達される。従って、更に安定して回転軸１２の回転をウォーム部３３に伝達することができる。
【００３７】
（６）伝達ボール１４は、ウォーム部３３の軸方向の中央部に配置されるため、ウォーム部３３の径方向のバランスが良好に保たれる。
（７）ウォーム部３３の軸方向の両端部が軸受３４，３５にて軸支されているため、ウォーム部３３、ウォーム部３３の径方向のぐらつきが抑制される。
【００３８】
（８）ウォーム部３３の軸方向の両側に当接壁２７，２８及びスラストプレート３１，３２がそれぞれ設けられているため、モータ本体２の停止時において、ウォームホイール３８が何れの方向に回転しようとした場合であってもウォーム部３３の回転が阻止される。
【００３９】
尚、本発明の実施形態は、以下のように変更してもよい。
・上記実施形態では、ウォーム部３３の軸方向の両側に、当接壁２７，２８及びスラストプレート３１，３２がそれぞれ設けられている。しかしながら、当接壁２７，２８及びスラストプレート３１，３２は、ウォーム部３３の軸方向の一方側にのみ設けられても良い。また、スラストプレート３１，３２を省略し、ウォーム部３３の軸方向の端面が当接壁２７，２８の何れか一方に押し付けられることにより、ウォーム部３３の軸方向の端面と当接壁２７，２８の何れか一方との間の摩擦力によりウォーム部３３の回転が阻止されるように構成してもよい。また、当接壁２７，２８は、ギヤハウジング２１と一体に設けられているが、別体に設けられてギヤハウジング２１内に固定されてもよい。
【００４０】
・上記実施形態では、ウォーム部３３の軸方向の両端部は、軸受３４，３５によって軸支されている。しかしながら、軸受３４，３５は省略してもよい。
・上記実施形態では、２つの伝達ボール１４は、何れもウォーム部３３の軸方向の中央部に配置される。しかしながら、伝達ボール１４は、伝達溝３３ｃ内であれば、ウォーム部３３の軸方向の何れの位置に配置されてもよい。この場合、伝達ボール１４が配置される位置に応じて、回転軸１２の外周面に係合凹部１２ａが形成される。
【００４１】
・上記実施形態では、２つの伝達ボール１４は、回転軸１２に対し周方向に等角度間隔となる位置に係合されている。しかしながら、伝達ボール１４は、ウォーム部３３の伝達溝３３ｃ内に収容されるのであれば、回転軸１２の周方向の何れの位置に係合されもよい。
【００４２】
・伝達ボール１４は、ウォーム部３３内に１つのみ備えられてもよいし、３つ以上備えられてもよい。
・上記実施形態では、伝達溝３３ｃは、ウォーム部３３の軸方向の一端から他端まで設けられているが、伝達ボール１４の配置位置等に応じて、ウォーム部３３の軸方向の一端からウォーム部３３の軸方向の所定位置まで形成されるものであってもよい。また、伝達溝３３ｃの周方向位置は、回転軸１２に対する伝達ボール１４の周方向位置に応じて設定されていればよい。
【００４３】
・伝達ボール１４の形状は球体状に限らない。伝達ボール１４は、伝達溝３３ｃを介して、回転軸１２の回転をウォーム部３３に伝達するとともに、ウォーム部３３の回転時にウォームホイール３８からウォーム部３３に加えられる軸方向の反力と反対方向の力を該ウォーム部３３に付与することができるのであれば、例えば円柱状等をなしていてもよい。
【００４４】
・上記実施形態では、当接壁２７，２８はギヤハウジング２１のウォーム収容部２３内に形成されているが、ウォーム部３３の軸方向の両端面との間に若干の隙間を有するように立設されるのであれば、ヨークハウジング４の内部に設けられてもよい。
【００４５】
・上記実施形態では、回転軸１２の回転をウォーム部３３に伝達する伝達機構は、挿通孔３３ｂの内周面に螺子歯３３ａの捩れ方向と反対方向に捩れるように形成された伝達溝３３ｃと、伝達溝３３ｃと回転軸１２との間に配置された伝達ボール１４とから構成されている。しかしながら、回転軸１２の回転をウォーム部３３に伝達する伝達機構の構成はこれに限らず、ウォーム部３３の内部で、回転軸１２の回転をウォーム部３３に伝達するとともに、ウォーム部３３の回転時にウォームホイール３８からウォーム部３３に加えられる軸方向の反力と反対方向の力をウォーム部３３に付与するように構成されていればよい。
【００４６】
・上記実施形態では、モータ１は、パワーウインドウ装置の駆動源として用いられているが、モータ１の用途はこれに限らない。モータ１は、例えばサンルーフ装置、スライドドア装置、バックドア装置等の駆動源として用いられてもよい。
【図面の簡単な説明】
【００４７】
【図１】減速機構付きモータの断面図。
【図２】電機子の分解斜視図。
【図３】減速機構付きモータにおけるウォーム部付近の部分拡大断面図。
【図４】ウォーム部の断面図。
【図５】（ａ）はモータ本体駆動時におけるウォーム部の動作を説明するための説明図、（ｂ）はモータ本体停止時におけるウォーム部の動作を説明するための説明図。
【符号の説明】
【００４８】
１…減速機構付きモータとしてのモータ、２…モータ本体、４…ケースを構成するヨークハウジング、１２…回転軸、１４…伝達手段を構成する伝達部材としての伝達ボール、２１…ケースを構成するギヤハウジング、２２…減速機構、２７，２８…当接部材としての当接壁、３３…ウォーム部、３３ａ…螺子歯、３３ｂ…挿通孔、３３ｃ…伝達手段を構成する伝達溝、３４，３５…軸受、３８…ウォームホイール、Ｆｂ…ウォーム部の回転時にウォームホイールからウォーム部に加えられる軸方向の反力と反対方向の力、Ｆｏ…反力。
【図１】
2008228364.tif 000003
【図２】
2008228364.tif 000004
【図３】
2008228364.tif 000005
【図４】
2008228364.tif 000006
【図５】
2008228364.tif 000007